(57)【要約】      （修正有）【課題】農産物に対する都市共同体の需要を満足させ、植物箱の中で植物を育てるための栽培箱と栽培箱を利用した植物栽培機を提供する。【解決手段】栽培箱２０は、相互に一致する箱本体及びカバー２１０と、植物を栽培するために栽培箱２０上に配置される栽培装置と、栄養溶液貯蔵室と噴霧器を含み、植物が、栄養溶液がない条件下で栄養溶液を植物の根に供給するように構築される栄養溶液供給装置と、から構成され、栄養溶液貯蔵室は仕切り板により箱本体から分離される箱本体空間の一部として構成される。本考案は、支持装置１０と共に同じ栽培箱２０を使用する植物栽培機をさらに開示する。また、栽培箱や植物栽培者に様々なセンサが配置され、植物栽培機が人の操作を必要とせずに自動誘導を実現することで、栽培の楽しさと簡単化が向上する。【選択図】図１
0003218810.tif 000002
【実用新案登録請求の範囲】
【請求項１】
栽培箱であって、
箱本体と、
前記箱本体と一致するように、及び前記箱本体を覆うように構築されるカバーと、
植物を栽培するために前記栽培箱上に配置される栽培装置と、
栄養溶液貯蔵室と噴霧器を含み、前記植物が、栄養溶液がない条件下で栄養溶液を前記植物の根に供給するように構築される栄養溶液供給装置と、を含み、
前記栄養溶液貯蔵室は仕切り板により前記箱本体から分離される箱本体空間の一部として構築され、
前記仕切り板には前記噴霧器を設置するための取付け位置が備えられ、及び
前記噴霧器は液吸収部品と微細孔噴霧シートを備える噴霧ノズルを含み、前記噴霧ノズルは前記取付け位置上に配置され、前記液吸収部品に接続される栽培箱。
【請求項２】
前記栽培装置は、前記カバー上に予め配置される複数の孔を、一つずつ対応して通過し、栽培籠が前記カバーにより支持される前記箱本体内に設置される複数の前記栽培籠を含む、請求項１に記載の栽培箱。
【請求項３】
前記仕切り板は前記箱本体の内壁に当接し、液除去孔が前記仕切り板上に形成される、請求項１に記載の栽培箱。
【請求項４】
前記仕切り板は、前記栄養溶液貯蔵室へ流れるように液を誘導することを容易にするように、ある傾斜角で構成される、請求項３に記載の栽培箱。
【請求項５】
前記仕切り板には液入り口パイプが備えられ、前記液入り口パイプの一端は前記カバー上に予め配置される孔を通過する一方、前記他端は前記仕切り板を通過し、前記栄養溶液貯蔵室へ到達する、請求項１に記載の栽培箱。
【請求項６】
前記栄養溶液の残量を監視するように、水面ゲージが前記液入り口パイプ上に配置される、請求項５に記載の栽培箱。
【請求項７】
前記噴霧器は噴霧ノズルを含む浮力式噴霧器である一方、噴霧制限部品は、前記噴霧器が前記制限部品内に配置できるように、前記取付け位置上に配置され、前記制限部品は前記栄養溶液貯蔵室へ浸漬される、請求項１に記載の栽培箱。
【請求項８】
前記制限部品は制限フードであり、前記浮力式噴霧器は前記制限フード内に制限され、前記液面と共に浮遊する、請求項７に記載の栽培箱。
【請求項９】
前記噴霧器には浮力構造が備えられ、前記噴霧器ノズルは前記浮力構造内に配置される、請求項８に記載の栽培箱。
【請求項１０】
前記仕切り板には液入り口パイプが備えられ、前記液入り口パイプの一端は前記カバー上に予め配置された孔を通過する一方、前記他端は前記仕切り板を通過し、前記栄養溶液貯蔵室へ到達する、請求項７に記載の栽培箱。
【請求項１１】
前記栄養溶液の残量を監視するように、水面ゲージが前記液入り口パイプ上に配置される、請求項１０に記載の栽培箱。
【請求項１２】
前記栽培箱は前記箱本体上に配置され、前記栄養溶液を前記植物へ自動的に供給するように前記噴霧器と電気的に接続される制御装置を含む、請求項１に記載の栽培箱。
【請求項１３】
前記栽培箱は前記栽培箱内に配置され、前記植物により要求される前記栄養溶液が無いかどうか、又は前記噴霧器が正しく作動するかどうかを検出するように、前記制御装置と通信するミスト濃度センサを更に含む、請求項１２に記載の栽培箱。
【請求項１４】
照明部品は前記栽培箱の上に配置され、環境に光がない条件下で前記植物に光を補給するように、前記制御装置と電気的に接続される、請求項１２に記載の栽培箱。
【請求項１５】
前記照明部品は光度計と接続され、前記環境の明るさを検出するように前記制御装置と電気的に接続される、請求項１４に記載の栽培箱。
【請求項１６】
前記照明部品は、前記照明部品がヒンジ位置を変更することにより重なった又は開いた状態を制御する多位置ヒンジを備える接続部品を介して前記箱本体の縁に配置される、請求項１４に記載の栽培箱。
【請求項１７】
前記栽培箱は、再充電可能なバッテリを充電し前記制御装置へ電力を供給するために、ソーラエネルギを受け取るように、前記箱本体の一つの側に配置されるソーラ装置を含む、請求項１２に記載の栽培箱。
【請求項１８】
前記制御装置は、前記栽培箱を遠隔で制御し管理するように、外部の知的端末機と通信するための無線通信装置を含む、請求項１２に記載の栽培箱。
【請求項１９】
前記栽培籠の各々には、前記栄養溶液が乾燥することを防止するように保湿キャップが備えられる、請求項２に記載の栽培箱。
【請求項２０】
透明な温室カバーが、前記植物に温室効果を生成するように前記箱本体上に配置される、請求項１２に記載の栽培箱。
【請求項２１】
前記温室カバーは移動可能なカバー要素と孔を含み、前記温室カバーの前記孔はケーブルとパイプラインを通過させるために利用される、請求項２０に記載の栽培箱。
【請求項２２】
空気供給装置は、前記箱本体上に配置され、新鮮な空気をパイプラインにより前記温室カバー内及び／又は前記箱本体内へ供給するように、前記制御装置と電気的に接続される、請求項２０に記載の栽培箱。
【請求項２３】
空気供給装置が前記箱本体上に配置され、パイプラインを介して前記箱本体内へ新鮮な空気を供給するように、前記制御装置と電気的に接続される、請求項１２に記載の栽培箱。
【請求項２４】
支持装置と、前記支持装置に配置される請求項１から２３に記載のいずれか１項に記載の栽培箱とを含む植物栽培機であって、
前記支持装置は、
フレームと、
前記栽培箱を保持するための前記フレーム上に配置されるホルダと、及び
前記ホルダの上昇高さ及び／又は傾斜角を調整するように、前記フレームと前記ホルダの両側に配置される高さと傾斜調整部品と、を含む植物栽培機。
【請求項２５】
前記高さと傾斜の調整部品は、２つの部品セットを含み、１つの部品セットは前記フレームの一端に配置され、他の部品セットは前記フレームの対向する他端に配置され、前記部品セットの各々は、スライドレール、スライドブロック及び２つのステイヒンジを含み、前記スライドレールは前記フレームへ固定され、前記スライドブロックの一端は前記ホルダの１つの側に配置され、前記スライドブロックの他端は前記スライドレールに沿ってスライド可能なように前記スライドレール内に配置される、請求項２４に記載の植物栽培機。
【請求項２６】
前記ステイヒンジの一端は前記フレーム上に固定され、前記ステイヒンジの他端は前記ホルダ上に固定されることにより、前記ステイヒンジの動きを介して前記スライドブロックを垂直にスライドさせ、又は前記スライドブロックが固定される条件下で前記ホルダをある角度で傾斜させるように、前記ホルダを設定する請求項２５に記載の植物栽培機。
【考案の詳細な説明】
【技術分野】
【０００１】
関連出願の相互参照
本願考案は２０１８年２月９日に提出された中国特許出願ＣＮ２０１８１０１３２１６３．３に対して優先権を主張する。上記出願は全て参考文献として本願明細書に組み込まれる。
【０００２】
本願考案は植物栽培分野に関し、特に農産物に対する都市共同体の需要を満足させるように、植物箱の中で植物を育てるための栽培箱と栽培箱を利用した植物栽培機に関する。
【背景技術】
【０００３】
近年、人々の食品安全性問題に対する関心が増加してきた。多くの人が家庭で農産物を作ることに興味を持っているが、人口の密集した都市ではこれを行うことが困難である。これは多くの時間と労力を必要とし、また高層建物に暮らす人々にはそれを行う空間がないためである。
【０００４】
水耕栽培又は水栽培を含む家庭用の自動化された無土壌栽培技術などの従来の無土壌技術は存在するが、これらのシステムは非常に高価である。これらは植物箱に設置可能であるが、水ポンプや水タンクを利用するため騒音を発生させ、実際の栽培用空間を確実に減少させる。例えば、中国特許出願ＣＮ２０５７９４３８１Ｕは無土壌栽培分野に属する超音波噴霧式植物栽培機を開示している。それはその中に空洞を有する胴体部を含み、胴体部の上には空洞を覆うカバーが備えられ、カバーにはその中に栽培室を有する複数の栽培籠が備えられ、栽培籠の下部は胴体部の空洞へ伸び、胴体部の空洞には栽培室へ水を供給するための水供給装置が備えられ、そして、カバーには栽培籠へ水分を供給すための水分供給装置が備えられる。植物栽培機は制御装置と照明装置も含む一方、水供給装置と照明装置は制御装置と電気的に接続される。植物栽培機の構造は簡単である。それは植物箱の中で植物を栽培するために作られたのではなく、知的な管理や制御を実施することができない。更に、噴霧器が箱本体の底部に設置されているため、噴霧器は栄養溶液の水面が過剰に高い時、噴霧器は作動することができず、そして、箱本体から仕切り板により分離された栄養溶液貯蔵室がなく、そのため植物の根は栄養溶液に浸かり根腐れを起こす。
【０００５】
例えば、中国特許文献ＣＮ２０３４８２７１３Ｕは、空気換気又は空気供給装置がない密封環境で植物にミストを供給する栽培箱を開示する。従って、空気中の二酸化炭素含有量と植物の成長速度に影響を与える。
【０００６】
従って、植物箱内で植物を栽培するための栽培箱を利用して新しい栽培箱及び植物栽培機を設計することに加えて、植物栽培を容易にするために、知的な管理と制御により従来技術を改善することが必要である。
【先行技術文献】
【特許文献】
【０００７】
【特許文献１】ＣＮ２０５７９４３８１Ｕ
【特許文献２】ＣＮ２０３４８２７１３Ｕ
【考案の概要】
【考案が解決しようとする課題】
【０００８】
本願考案は知的な管理と制御により植物栽培を実施するために、制御装置、各種センサ及び複数の噴霧器、植物の根が栄養溶液へ浸漬されて根腐れを起こすことから防止するための仕切り板、エネルギ消費を低減させるソーラ装置、植物への温室効果を生成させるための温室カバーと空気供給装置、及び栽培箱を作動させるために便利で柔軟にする様々なタイプの噴霧器を採用するための容積、を含む新しい栽培箱を提供することにより上記の技術的問題を解決することを目的とする。
【０００９】
本願考案は様々な身長の人が窓枠を通して農作業の処理を容易にするために、上下する植物箱内に設置可能な支援装置を新しい植物栽培機に備えることにより上記技術的問題を解決することを目的とする。
【課題を解決するための手段】
【００１０】
本願考案の別の態様により上記目的を達成するために、本願考案は以下の技術的解決法を採用する。
【００１１】
栽培箱であって、
箱本体と、
前記箱本体に適合し、前記箱本体を覆うように構築されるカバーと、
植物を栽培するための前記栽培箱上に配置される栽培装置と、
栄養溶液貯蔵室と噴霧器を含み、植物が栄養溶液のない条件下で、植物の根に栄養溶液を供給するように構築された栄養溶液供給装置と、を含み、
前記栄養溶液貯蔵室は仕切り板により前記箱本体から分離される箱本体空間の一部として構築され、
前記仕切り板には前記噴霧器を設置するための設置位置が備えられ、
前記噴霧器は液体吸収部品と微細孔噴霧シートを備える噴霧ノズルを含み、
前記噴霧ノズルは前記取付け位置上に配置され、前記液体吸収部品に接続される栽培箱。
【００１２】
栽培箱によると、栽培装置はカバー上の複数の予め配置された孔を通って、一つずつ対応して通過する複数の栽培籠を含み、栽培籠がカバーにより支持される箱本体内に設置される。
【００１３】
栽培箱によると、仕切り板は箱本体の内壁に当接し、誘導液が栄養溶液貯蔵室へ流れるように液を誘導することを容易にするように、仕切り板は少し傾いて構成される。更に、液除去孔が仕切り板上に形成される。
【００１４】
更に、噴霧器を設置するための設置位置は仕切り板上に配置される。
【００１５】
好ましくは、噴霧器は液吸収部品と微細孔噴霧シートを備える噴霧器ノズルを含み、噴霧ノズルは取り付け位置上に配置され、液吸収部品に接続される。
【００１６】
更に、仕切り板には液入り口パイプが備えられ、液入り口パイプの一端はカバー上の予め配置された孔を通過する一方、他端は仕切り板を通過し、栄養溶液貯蔵室へ到達する。
【００１７】
栽培箱の一実施例によると、噴霧器は噴霧ノズルを含む浮力式噴霧器であり、噴霧器制限部品が取付け位置上に配置されることにより噴霧器は制限部品内に配置することができ、制限部品は栄養溶液貯蔵室へ浸漬される。
【００１８】
更に、制限部品は制限フードであり、浮力式噴霧器は制限フード内に制限され、液面と共に浮遊する。好ましくは噴霧器には浮力構造が備えられ、噴霧ノズルは浮力構造内に配置される。
【００１９】
好ましくは、仕切り板には液入り口パイプが備えられ、液入り口パイプの一端は、カバー上に予め配置された孔を通過する一方、他端は仕切り板を通過し、栄養溶液貯蔵室へ到達する。
【００２０】
好ましくは、浮遊型水面ゲージ、電子式水面ゲージ、又はその他のタイプの水面ゲージなどのような水面ゲージが液体入り口パイプ上に配置されることにより、栄養溶液の残量を監視する。
【００２１】
栽培箱の一実施例によると、栽培箱は箱本体上に配置され、栄養溶液を植物に自動的に供給するように、噴霧器と電気的に接続された制御装置を含む。
【００２２】
栽培箱の一実施例によると、栽培箱は、栽培箱内に配置され、制御装置と接続するミスト濃度センサを更に含み、これにより植物が必要とする栄養溶液が無いかどうか、又は噴霧器が正しく作動しているかどうかを検出する。
【００２３】
栽培箱の一実施例によると、照明部品は栽培箱の上に配置され、制御装置と電気的に接続され、これにより環境に光がない条件下で植物に光を補充する。
【００２４】
更に、照明部品は光度計と接続され、制御装置と電気的に接続されることにより、環境の明るさを検出する。
【００２５】
更に、照明部品は多位置ヒンジを備える接続部品を介して箱本体のエッジに配置されることにより、照明部品がヒンジ位置の変更により重なるか又は開いた状態を制御する。
【００２６】
栽培箱の一実施例によると、栽培箱は箱本体の一つの側に配置されるソーラ装置を含むことにより、再充電可能バッテリを充電し、制御装置へ電力を供給するためにソーラエネルギを受ける。
【００２７】
栽培箱の一実施例によると、制御装置は外部の知的端末機と通信するための無線通信装置を含むことにより、栽培箱を遠隔で制御し管理する。
【００２８】
栽培箱の一実施例によると、透明な温室カバーが箱本体上に配置され、植物に温室効果を生成する。好ましくは、温室カバーは移動可能なカバー要素と孔を含み、温室カバーの孔はミスト濃度センサや噴霧器と接続されるケーブルの通路など、ケーブルとパイプラインを通過させるために利用される。
【００２９】
更に、空気供給装置が箱本体上に配置され、制御装置と電気的に接続されることにより、パイプラインを介して温室カバー内及び／又は箱本体内へ新鮮な空気を供給する。
【００３０】
栽培箱の一実施例によると、各栽培籠には吸湿キャップが備えられ、栄養溶液が乾燥することを防止する。
【００３１】
本願考案の別の態様によると、本願考案は支持装置と支持装置に配置される栽培箱を含み、支持装置は
フレームと、
栽培箱を保持するフレーム上に配置されるホルダと、
ホルダの上昇高さ及び／又は傾斜角度を調整するように、フレームとホルダの両側に配置される高さと傾斜調整部品と、を含む。
【００３２】
更に、高さと傾斜調整部品は２セットの部品を含み、その内の１セットはフレームの一端に配置され、他の１セットはフレームの他端に配置され、各セットの部品はスライドレール、スライドブロック及び２つのステイヒンジを含み、スライドレールはフレームに固定され、スライドブロックの一端はホルダの一つの側に配置され、スライドブロックの他端はスライドレール内に配置され、スライドレールに沿ってスライドすることができる。
【００３３】
更に、ステイヒンジの一端はフレームに固定され、ステイヒンジの他端はホルダに固定され、ステイヒンジの動きを介してスライドブロックを垂直にスライドさせ、又はスライドブロックが固定された条件下でホルダをある角度に傾斜設定する。
【００３４】
本願考案の栽培箱にはミスト濃度センサと複数の噴霧器が備えられる。もし制御装置が個々の噴霧器が異常であることを検出した場合、他の噴霧器は植物が乾燥して枯れることを防止することを自動的に開始する。
【００３５】
本願考案により採用される噴霧器は栄養溶液の水面に関係なく作動する。栄養溶液の水面が過剰に高い場合に、噴霧器が作動できないことは起こらないであろう。
【００３６】
更に、箱本体内の仕切り板の配置は、植物の根が栄養溶液に浸漬されて根腐れを起こすことを防止し、これは未吸収の栄養ミストから形成され、仕切り板の下の栄養溶液貯蔵室へ戻り、及び最適な噴霧効果を達成するために、噴霧ノズルを最適位置に維持する。
【００３７】
本願考案の植物栽培装置には、植物栽培機が屋外環境に設置されることを可能にすることをはじめ、様々な身長の人が植物栽培機を作動させることを容易にするために、上下する植物箱内に設置可能な支持装置が備えられる。
【００３８】
更に、本願考案の栽培箱にはミスト濃度センサや光度計などの様々なセンサ及び自動誘導を実施するための複数の噴霧器が備えられる。栄養溶液がない、環境には光がない、又は噴霧器が異常であるような条件下で、栽培箱は人の操作を必要とせずに、噴霧又は照明を自動的に開始し、それにより栽培の興味や簡単化が向上する。更に、ＷＩ―ＦＩトランシーバ及び／又はブルーツーストランシーバなどの無線通信装置の追加配置により、栽培箱を外部の知的端末機と接続させることができ、それにより人々は移動電話又はコンピュータを介して栽培箱へ知的管理や制御を実施することができ、これにより栽培の喜びがさらに向上する。
【００３９】
ソーラパネルの装置は、屋外環境からの太陽光を用いて充電され、電力消費を削減し更に環境のためのエネルギ節約を達成する。
【００４０】
本願考案の構造と作動原理は付属図を参照して以下に詳細に記述される。
【図面の簡単な説明】
【００４１】
【図１】本願考案の植物栽培機の構造図である。
【図２】図１に示される支持装置により持ち上げられた栽培箱を示す。
【図３】図１に示される支持装置の構造図である。
【図４】図３に示される支持装置がある傾斜角で垂直に持ち上げられた構造図である。
【図５】図３に示される支持装置がある高さに垂直に持ち上げられた構造図である。
【図６】図３に示される支持装置がある傾斜角で他の方向に向かって垂直に持ち上げられた構造図である。
【図７】本願考案の栽培箱の図である。
【図８】図７に示された栽培箱の内部構造図である。
【図９】図７に示された栽培箱の仕切り板の実施図である。
【図１０】図９に示された仕切り板の噴霧器の設置図である。
【図１１】液入り口パイプを備える図９に示された仕切り板の噴霧器の図である。
【図１２】本願考案の栽培箱の仕切り板の別の実施図である。
【図１３】図１２に示された仕切り板の噴霧器の設置図である。
【図１４】液入り口パイプを備える図１２に示された仕切り板の噴霧器の図である。
【図１５】図７に示された栽培箱の組立構造図である。
【図１６】図１５に示された仕切り板と噴霧器の組立構造図である。
【図１７】本願考案の栽培箱カバーの組立構造図である。
【図１８】本願考案の栽培箱の照明部品が折り重なった状態の構造図である。
【図１９】図１８に示された照明部品が開いた状態の構造図である。
【図２０】本願考案の栽培箱の制御装置の電気接続図である。
【図２１】本願考案の栽培箱の温室カバーの構造図である。
【図２２】本願考案の栽培箱の温室カバーと空気供給装置の図である。
【図２３】植物箱に設置された植物栽培機の側面図である。
【図２４】植物箱に設置された植物栽培機の等尺図である。
【考案を実施するための形態】
【００４２】
本願考案の構造と作動原理を理解するように、本願考案の特定実施例を付属図面を参照して詳細に記述する。
【００４３】
以下の記述において、全体構造及び栽培箱と植物栽培機の独立構造の理解を容易にするために、本願考案の栽培箱と植物栽培機を組立構造で記述する。
【００４４】
図１〜３に示されるように、植物栽培機は、支持装置１０と支持装置１０に配置される栽培箱２０を含む。支持装置１０は植物箱などの屋外環境に移動可能に配置することができる。支持装置１０は断面が四角形又は円形などの植物箱に一致させるために、及び植物栽培用の植物箱に設置するために、様々な形状に作ることができる。
【００４５】
支持装置１０はフレーム１１０とホルダ１４０を含む。ホルダ１４０はフレーム１１０上に配置され、栽培箱２０を保持するために使用され、フレーム１１０は、ステンレス、アルミ合金又は山形鋼などの十分な強度と剛性を備える複数の材料から作られる。材料は溶接又はほかの固定法により結合される。ホルダ１４０の設計は栽培箱２０を所定位置に保持するように栽培箱２０に一致する。
【００４６】
フレーム１１０にはホルダ１４０の上昇高さ及び／又は傾斜角を調整するように、高さと傾斜の調整部品が備えられる。高さと傾斜の調整部品は、ホルダ１４０の上昇高さ及び/又は傾斜角を調整するように、フレームとホルダの両側に配置される。高さと傾斜の調整部品は２セットの部品を含み、１セットの部品はフレーム１１０の一端に配置され、他の１セットの部品はフレーム１１０の対向する他端に配置され、各セットの部品はスライドレール１２０、スライドブロック１２１、及び２つのステイヒンジ１３０を含み、スライドレール１２０はフレーム１１０に固定され、スライドブロック１２１の一端はホルダ１４０上に固定され、スライドブロック１２１の他端はホルダ１４０を上下させるためのスライドレール１２０に沿ってスライド可能なように、スライドレール１２０内に配置される。スライドブロック１２１はホルダ１４０を支持するためにスライドレール１２０内に配置される。各部品セットの２つのステイヒンジ１３０はスライドブロック１２１の両側に配置される。各ステイヒンジ１３０には支持棒１３１が備えられる。各ステイヒンジ１３０の２つの端部は、ホルダ１４０の支持においてスライドブロック１２１を助けるように、それぞれ固定具１３２でホルダ１４０とフレーム１１０に固定される。一実施例において、ステイヒンジ１３０は固定具の使用を必要とせず、各ステイヒンジ１３０の両端は、ホルダ１４０とフレーム１１０に直接固定される。
【００４７】
図４〜６に示されるように、ステイヒンジ１３０の支持棒１３１はジョイントの周りにある角度を形成する。様々な角度が一対の支持棒とそれに対応する他の対により形成される場合、ホルダ１４０は一つの側に傾斜し、これによりユーザが窓枠を通して農作業を処理しやすいように、１０度に傾斜するなど栽培箱２０が同じ角度で傾斜するように駆動する。太陽光集光も栽培箱２０が傾斜する条件下で容易になる。これは、窓に最も近い植物は通常太陽光に覆われず、このため弱くなるためである。図５に示されるように、両対の支持棒１３１により形成される角度が一致する場合、栽培箱２０は水平に見える。
【００４８】
図７〜１７に示されるように、藻が箱本体内に成長することを防止するために、栽培箱２０は、カバー２１０を備える不透明な箱本体を含む。不透明なカバー２１０は複数の栽培籠２２０を保持するために複数の孔を含む。栽培スポンジ２２２は各栽培籠２２０に配置される。カバー２２０上の孔は栽培籠２２０に一致する。保湿キャップ２２１は各栽培籠２２０上に配置され、栽培籠２２０内の栄養溶液が乾燥することを防止するように、各栽培籠２２０と一致する。栽培スポンジ２２２は、強力な吸収特性を備えるヤシ繊維又は他の物質により置換することができる。栽培籠２２０の数は、必要に応じてユーザにより調節可能な１０，２０又はそれより多いか少ない値に、栽培箱２０の寸法に応じて決定される。栽培籠２２０の寸法は栽培籠２２０の個数に影響し、これらは全て実際のニーズに依存する。
【００４９】
栄養溶液供給装置は栽培箱２０内に配置され、吸収を容易にするために噴霧される栄養溶液を植物の根に供給する。栽培箱２０内の栄養溶液供給装置は噴霧器及び独立した液体タンク、又は仕切り板２４０により箱本体から分離された栄養溶液貯蔵室である。
【００５０】
図８〜１６に示される実施例において、栄養溶液供給装置は分離板の採用など仕切り板方式で配置される。仕切り板は植物の根が栄養溶液に浸漬されて根腐れを起こすことを防止する。
【００５１】
図９〜１１に示される仕切り板２４０の実施例のように、仕切り板２４０は液体が栄養溶液貯蔵室に集まるように、一定の傾斜角と液除去孔２４５を備えるように設計される。例えば、仕切り板２４０は逆流用のある傾斜角を備えるボウル型又は弓型又はほかの形状に設計することができる。仕切り板２４０には栽培箱２０の箱本体内に設置することを助けるために４本の脚２４０１が備えられる。
【００５２】
少なくとも１つの噴霧器が仕切り板上に設置される。この実施例において、２つの噴霧器２３０が仕切り板２４０の取付け位置２３１上に設置され、吸収を容易にするために噴霧された栄養溶液を植物の根へ供給する。噴霧器２３０の液吸収部品２４２は微細孔噴霧シートを備える噴霧ノズルへ接続される。栄養溶液が吸収された後、栄養溶液は植物の根へ噴霧され、スプレイされる。仕切り板２４０の取付け位置２４０２には液入り口パイプ２４４が備えられ、栄養溶液を栄養溶液貯蔵室へ補充するために利用される。液入り口パイプ２４４は上方へ伸び、カバー２１０を通過し、そこで栄養溶液が蒸発することを防止するように、上部の開口はキャップ２４３で封止される。栄養溶液の補充又は栽培箱２０のカバー２１０を除去することが必要な場合、ユーザはキャップ２４３を除去することが必要であり、その作業が済んだ後にキャップ２４３を取り付ける。浮遊型水面ゲージ又は電子式水面ゲージなどの水面ゲージ２４１は、栄養溶液の残量を表示するために液入り口パイプ２４４内に配置される。
【００５３】
噴霧器２３０が噴霧を行った後、過剰な栄養溶液は傾斜仕切り板２４０により集められ、液除去孔２４５を通して栄養溶液貯蔵室へ流される。この逆流設計は栄養溶液の廃棄、及び栄養溶液貯蔵室から外へ蓄積されることを回避することができる。
【００５４】
図１２〜１４に示されるように、仕切り板の別の実施例において、液吸収部品と微細向噴霧シートを備える噴霧器２３０は浮力式噴霧器２３０１により置換される。従って、浮力式噴霧器２３０１は仕切り板２４０の限定フード２４０３内に配置され、浮力式噴霧器のノズルは浮力構造２４８内に配置される。この実施例における仕切り板２４０の他の構造は先の実施例と一致し、従って、明細書では詳細に記載しない。
【００５５】
好ましくは、図１８〜２０に示すように、折り畳み可能なグローライト２５０のような照明部品は、環境に光がない条件下で植物にグローライト２５０が当たるように、及びグローボックス２０の上に配置される。更に、グローライト２５０は環境の明るさを検出するように、光度計２６５と接続される。グロートライト２５０は帯状の折り畳み可能なＬＥＤランプか又は白熱灯である。これらのランプは植物栽培のニーズに応じて様々な色や波長で光を供給することができ、植物の成長が促進される。
【００５６】
図１に示す実施例において、グローライト２５０は接続部品を介して栽培箱２０上に配置され、接続部品はフレーム１１０上に配置されるホルダ２５１と多位置ヒンジ２５２を含む。多位置ヒンジ２５２の一端はホルダ２５１上に固定され、多位置ヒンジ２５２の他端はグローライト２５０と接続され、ヒンジ位置を変更することによりグローライト２５０を折り畳んだ、又は開く状態を制御する。また、ホルダ２５１は栽培箱２０の縁に直接配置することができる。他の実施例で、グローライト２５０はホルダ２５１を採用せず、代わりに、多位置ヒンジ２５２がコスト削減のために栽培箱２０の縁へ直接配置することができる。更に、接続部品にはグローライト２５０と植物の間の距離を制御するために高さ調整器が備えられ、環境条件に応じて照明距離を変更する。
【００５７】
図２０に示すように、制御装置２６０（破線で示すように）は栽培箱２０の箱本体上に配置され、電源が接続された条件下で様々な部品と栽培箱２０全体のプロセスを制御する。制御装置２６０はマイクロコントローラ２６３、再充電バッテリ２６１及び接続された電源などを含む。例えば、本願考案の栽培箱２０の箱本体は、制御装置２６０と連結するミスト濃度センサ２６６を含む一方、噴霧器２３０又は２３０１がリレー２６７と接続される。制御装置２６０は栄養溶液が無いかどうか、又は噴霧器が正しく作動するかどうかを検出するために、ミスト濃度センサ２６６を制御する。制御装置２６０は、リレー２６７を介して噴霧器２３０又は２３０１のスイッチ、グローライト２５０及び空気供給装置４３０を制御する。もし制御装置２６０が、個々の噴霧器２３０又は２３０１が異常であることを検出したならば、他の噴霧器２３０又は２３０１が、植物が枯死することを防止するために自動的にスタートする。更に、栽培箱２０の箱本体は制御装置２６０と接続されるフロート型水面ゲージ又は電子式水面ゲージなどの水面ゲージを含み、栄養溶液がないかどうかを検出する。光度計２６５は制御装置２６０と電気的に接続され、環境に光がない条件下で植物に対してグローライト２５０を照らす。
【００５８】
制御装置２６０は設置や操作が便利なようにフレーム１１０上又は栽培箱２０の縁に配置される箱型構造などの一体構造に作ることができる。
【００５９】
本願考案の栽培箱２０は、全電気系統と接続されるように、居住用電気で制御装置２６０を介して電力供給されるような居住用電気で電力供給することができる。例えば、制御装置２６０は様々な電気部品に電力を供給するように様々な電源から電力供給２６４を選択することができる。環境に対するエネルギ節減を達成するために、栽培箱２０にはソーラパネル３０、再充電バッテリ２６１、リレー２６２及び関係回路を含むソーラ装置が備えられる。ソーラパネル３０は再充電バッテリ２６１を充電し制御装置２６０へ電力を供給するためのソーラエネルギを受けるように、栽培箱２０の１つの側に配置される。代わって、ソーラパネル３０は独立して配置することができ、即ち、太陽光の下にソーラパネル３０を設置し、ケーブルを介して接続することができる。再充電バッテリ２６１やリレー２６２を含むほかの部品は、制御装置２６０に近い栽培箱２０の片側に配置される。一般的な環境においては本願考案の栽培箱２０はソーラ装置の電源を優先して選択する。居住電気は再充電バッテリ２６１が非常に安い場合にのみ選択され、このため作動電気コストは非常に削減される。
【００６０】
一実施例で、全操作を知的化するためにＷＩ―ＦＩトランシーバ２７０及び／又はブルーツーストランシーバ２８０などの無線通信装置が制御装置２６０に配置される。ネットワークが接続された条件下で制御装置２６０は外部の知的端末機と通信することができる。知的端末機は移動電話又はコンピュータである。知的端末機と制御装置２６０の間の通信により、ユーザは栽培箱２０を遠隔で制御し及び管理することができる。例えば、ミスト濃度センサ２６６は自動誘導を絶えず実施するように、又は自動誘導を周期的に実施するように制御することができる。栄養溶液を必要とする条件下で、栄養溶液は間に合うように植物へ供給することができ、人的ミスによる植物の乾燥による枯死を防止するように、噴霧器は噴霧を実施するように制御することができる。代わって、遠隔制御の特徴を利用することにより、ユーザは個々の噴霧器をオンオフし、グローライトや噴霧器などに対する自動開始条件を確定することができる。
【００６１】
図２１と２２に示すように、本願考案の栽培箱２０の実施例によると、透明な温室カバー４００が植物に対する温室効果を生成するように、栽培箱２０の箱本体上に配置される。ところで、透明な温室カバー４００は、植物が健康に生育することを助けるために植物が風に吹かれること及び虫により害されることから防止することができる。好ましくは、温室カバー４００は移動可能なカバー素子４１０と孔４２０を含み、温室カバーの孔４２０は,ミスト濃度センサや噴霧器と接続されるケーブルの通過など、ケーブルやパイプラインを通過させるために利用される。移動可能カバー要素４１０は手作業を容易にするように手で開放することができる。
【００６２】
更に、空気ポンプなどの空気供給装置４３０は栽培箱２０の箱本体上に配置される。空気供給装置４３０は新鮮な空気を、パイプラインを介して温室カバー４００及び／又は栽培箱２０の箱本体の中に供給するように、制御装置２６０と電気的に接続される。代わって、温室カバー４００がない状態で、空気供給装置４３０は新鮮な空気を栽培箱２０の箱本体内に直接供給するために利用できる。
【００６３】
図２３と２４に示すように、本願考案の植物栽培機を利用して、最初に、支持装置１０は植物箱の中に組み込まれる。制御装置２６０などの関係部品を備える栽培箱２０全体は支持装置１０内に配置される。ソーラパネル３０は太陽光に向かって面するようにする。もし植物箱が長すぎる場合、本願考案の複数の植物栽培機が多くの植物を栽培するように図２４に示すように配置することができる。ユーザは本願考案の植物栽培機で窓枠５０の窓５１を通して農作業を処理することができる。知的制御が存在する条件下では，植物栽培機は電源が接続され次第自動的に作動する。遠隔制御の特徴は植物栽培機のプロセスを監視するために又は知的制御の設定を変更するために利用することができる。
【００６４】
上記実施例は本願考案の好適実施例を提示しただけである。これらの記載は具体的で詳細であるが、本願考案の範囲の限定と理解すべきでない。実施例の様々な特徴の組み合わせなど、当業者にとって様々な変更や修正が本願考案の精神から離れることなく実施例に対して行われるが、これらすべては本願考案の保護範囲内であるとすべきである。
【図１】
0003218810.tif 000003
【図２】
0003218810.tif 000004
【図３】
0003218810.tif 000005
【図４】
0003218810.tif 000006
【図５】
0003218810.tif 000007
【図６】
0003218810.tif 000008
【図７】
0003218810.tif 000009
【図８】
0003218810.tif 000010
【図９】
0003218810.tif 000011
【図１０】
0003218810.tif 000012
【図１１】
0003218810.tif 000013
【図１２】
0003218810.tif 000014
【図１３】
0003218810.tif 000015
【図１４】
0003218810.tif 000016
【図１５】
0003218810.tif 000017
【図１６】
0003218810.tif 000018
【図１７】
0003218810.tif 000019
【図１８】
0003218810.tif 000020
【図１９】
0003218810.tif 000021
【図２０】
0003218810.tif 000022
【図２１】
0003218810.tif 000023
【図２２】
0003218810.tif 000024
【図２３】
0003218810.tif 000025
【図２４】
0003218810.tif 000026